【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
スピーカユニットの前面側を位置させるための開口部を有するスピーカキャビネットと、
前記スピーカユニットの背面側に接続されるアンカー部材と、
前記スピーカキャビネット内において前記アンカー部材を支持するための支持部材と、
該支持部材の位置決めを行うための位置決め部材とを備え、
前記支持部材と前記位置決め部材との間、及び／又は前記アンカー部材と前記支持部材との間に緩衝部材が介装されていることを特徴とするスピーカユニットの支持構造。
【請求項２】
前記アンカー部材が、第１のアンカー部材と第２のアンカー部材とからなり、前記第１のアンカー部材と前記第２のアンカー部材とが連結されていることを特徴とする請求項１記載のスピーカユニットの支持構造。
【請求項３】
前記支持部材が、前記アンカー部材から放射状に配設された複数の支柱からなることを特徴とする請求項１又は請求項２記載のスピーカユニットの支持構造。
【請求項４】
前記位置決め部材が、前記支持部材の先端部を嵌合させるための嵌合部を有するものであることを特徴とする請求項１〜３のいずれかの項に記載のスピーカユニットの支持構造。
【請求項５】
前記スピーカキャビネットの開口部と前記スピーカユニットとの間に緩衝部材が介装されていることを特徴とする請求項１〜４のいずれかの項に記載のスピーカユニットの支持構造。
【請求項６】
請求項１〜５のいずれかの項に記載のスピーカユニットの支持構造が前記スピーカキャビネット内に複数セット設けられていることを特徴とするスピーカシステム。
【請求項７】
請求項１〜５のいずれかの項に記載のスピーカユニット支持構造が採用されたスピーカシステムであって、
前記アンカー部材を介して互いに背面が対向するように接続された第１のスピーカユニット及び第２のスピーカユニットを備え、
前記第１のスピーカユニット及び前記第２のスピーカユニットに対し、同じ信号が同相で供給されることを特徴とするスピーカシステム。
【請求項８】
請求項１〜５のいずれかの項に記載のスピーカユニット支持構造が採用されたスピーカシステムであって、
前記アンカー部材を介して互いに背面が対向するように接続された第１のスピーカユニット及び第２のスピーカユニットを備え、
前記第１のスピーカユニット及び前記第２のスピーカユニットに対し、同じ信号が逆相で供給されることを特徴とするスピーカシステム。
【手続補正２】
【補正対象書類名】明細書
【補正対象項目名】００１１
【補正方法】変更
【補正の内容】
【００１１】
【課題を解決するための手段及びその効果】
上記目的を達成するために本発明に係るスピーカユニットの支持構造（１）は
、スピーカユニットの前面側を位置させるための開口部を有するキャビネットと
、前記スピーカユニットの背面側に接続されるアンカー部材と、前記スピーカキ
ャビネット内において前記アンカー部材を支持するための支持部材と、該支持部
材の位置決めを行うための位置決め部材とを備え、前記支持部材と前記位置決め
部材との間、及び／又は前記アンカー部材と前記支持部材との間に緩衝部材が介
装されていることを特徴としている。
【手続補正３】
【補正対象書類名】明細書
【補正対象項目名】００１２
【補正方法】変更
【補正の内容】
【００１２】
上記スピーカユニットの支持構造（１）によれば、前記位置決め部材により前
記支持部材の位置決めが行われ、位置決めされた前記支持部材により前記アンカ
ー部材が前記スピーカキャビネット内において支持され、しかも前記支持部材と
前記位置決め部材との間、及び／又は前記アンカー部材と前記支持部材との間に
前記緩衝部材が介装されるので、前記アンカー部材に接続された前記スピーカユ
ニットが、前記スピーカキャビネット内の所定位置にフローティング状態で配設
される。したがって、前記スピーカユニットから前記アンカー部材に伝わる振動
が、前記スピーカキャビネットに伝わらなくなるため、前記スピーカキャビネッ
トの振動による音質の劣化を防止することができる。
【手続補正４】
【補正対象書類名】明細書
【補正対象項目名】００１５
【補正方法】変更
【補正の内容】
【００１５】
また本発明に係るスピーカユニットの支持構造（２）は、上記スピーカユニッ
トの支持構造（１）において、前記アンカー部材が、第１のアンカー部材と第２
のアンカー部材とからなり、前記第１のアンカー部材と前記第２のアンカー部材
とが連結されていることを特徴としている。
【手続補正５】
【補正対象書類名】明細書
【補正対象項目名】００１７
【補正方法】変更
【補正の内容】
【００１７】
また本発明に係るスピーカユニットの支持構造（３）は、上記スピーカユニッ
トの支持構造（１）又は（２）において、前記支持部材が、前記アンカー部材か
ら放射状に配設された複数の支柱からなることを特徴としている。
【手続補正６】
【補正対象書類名】明細書
【補正対象項目名】００１８
【補正方法】変更
【補正の内容】
【００１８】
上記スピーカユニットの支持構造（３）によれば、前記支持部材が、前記アン
カー部材から放射状に配設された複数の支柱からなるので、傾斜や転倒等によっ
て前記スピーカキャビネットの配置状態が変化しても、複数の支柱の相互作用に
よって前記アンカー部材が安定的に支持されるので、前記アンカー部材の位置変
化の発生を確実に防止することができ、前記アンカー部材に接続された前記スピ
ーカユニットを前記スピーカキャビネット内に安定した状態で支持することがで
きる。
【手続補正７】
【補正対象書類名】明細書
【補正対象項目名】００２５
【補正方法】変更
【補正の内容】
【００２５】
また本発明に係るスピーカシステム（２）は、上記スピーカユニットの支持構
造（１）〜（５）のいずれかが採用されたスピーカシステムであって、前記アン
カー部材を介して互いに背面が対向するように接続された第１のスピーカユニッ
ト及び第２のスピーカユニットを備え、前記第１のスピーカユニット及び前記第
２のスピーカユニットに対し、同じ信号が同相で供給されることを特徴としてい
る。
【手続補正８】
【補正対象書類名】明細書
【補正対象項目名】００２７
【補正方法】変更
【補正の内容】
【００２７】
また本発明に係るスピーカシステム（３）は、上記スピーカユニットの支持構
造（１）〜（５）のいずれかが採用されたスピーカシステムであって、前記アン
カー部材を介して互いに背面が対向するように接続された第１のスピーカユニッ
ト及び第２のスピーカユニットを備え、前記第１のスピーカユニット及び前記第
２のスピーカユニットに対し、同じ信号が逆相で供給されることを特徴としてい
る。
【手続補正９】
【補正対象書類名】明細書
【補正対象項目名】００４２
【補正方法】変更
【補正の内容】
【００４２】
上記実施の形態（１）に係るスピーカユニットの支持構造が採用されたスピー
カシステム１によれば、位置決め部材３３に支柱３２の先端が保持され、先端が
保持された支柱３２によりアンカー３１がキャビネット２０内において支持され
、しかも支柱３２の先端部と位置決め部材３３との間に緩衝部材３４が介装され
ているので、アンカー３１に接続されたスピーカユニット１０が、キャビネット
２０内の所定位置にフローティング状態で保持される。したがって、スピーカユ
ニット１０からアンカー３１に伝わる振動が、キャビネット２０に伝わらなくな
るため、キャビネット２０の不要振動による音質の劣化（音質の濁り等）を防止
することができる。
【手続補正１０】
【補正対象書類名】明細書
【補正対象項目名】００４４
【補正方法】変更
【補正の内容】
【００４４】
さらに、キャビネット２０の配置状態が変化しても（例えば、傾斜や転倒等が
生じても）、アンカー３１が、支柱３２により安定的に支持されているので、ス
ピーカユニット１０の取り付け状態が変化することもなく、取り付け状態の安定
性に優れた構造とすることができる。また、縦置きや横置き等配置向きも自由に
変えることができ、家庭用のみならず、車載用等への適用も容易である。
【手続補正１１】
【補正対象書類名】明細書
【補正対象項目名】００４６
【補正方法】変更
【補正の内容】
【００４６】
また、アンカー３１から放射状に配設された複数の支柱３２により、傾斜や転
倒等によってキャビネット２０の配置状態が変化しても、複数の支柱３２の相互
作用によってアンカー３１が、安定的に支持されるので、アンカー３１の位置変
化の発生を防止することができ、アンカー３１に接続されたスピーカユニット１
０をキャビネット２０内に安定した状態で支持することができる。
【手続補正１２】
【補正対象書類名】明細書
【補正対象項目名】００５０
【補正方法】変更
【補正の内容】
【００５０】
また、上記実施の形態（１）では、支柱３２が、アンカー３１からキャビネッ
ト２０の各隅に向けて略放射状に配設された場合について説明したが、支持部材
である支柱３２の配設形態は、アンカー３１がキャビネット２０内に安定的に保
持される形態であればよく、種々の形態を採用することができ、支柱３２の配設
形態に応じて位置決め部材３３の形状や装着箇所も適宜変更すればよい。
【手続補正１３】
【補正対象書類名】明細書
【補正対象項目名】００５２
【補正方法】変更
【補正の内容】
【００５２】
図３は、上記実施の形態（１）に係るスピーカユニットの支持構造が１つのキ
ャビネット内に大小２セット採用されたスピーカシステムの側面断面図を示して
いる。但し、図１に示したスピーカシステム１と同一機能を有する構成部品には
同一符号を付してその説明を省略することとする。